(57)【要約】【課題】相手側医療用同軸コネクタに接続する際に相手側外部導体が内部導体に接触することを回避すること。【解決手段】医療用同軸コネクタ１３は、相手側内部導体１１１に電気的に接続する内部導体１３１と、内部導体１３１に対して電気的に絶縁されているとともに内部導体１３１を囲む筒状に形成され、相手側外部導体１１３に電気的に接続する外部導体１３５と、外部導体１３５の内周側に配置され、内部導体１３１を囲む筒状の絶縁体１３３とを備える。絶縁体１３３は、医療用同軸コネクタ１３が相手側医療用同軸コネクタ１１に接続した際に相手側外部導体１１３の内周側に配置されるとともに、相手側医療用同軸コネクタ１１への接続方向Ｄｉ２の先端が内部導体１３１よりも接続方向Ｄｉ２に突出している。【選択図】図８
2018092844.tif 000002
【特許請求の範囲】
【請求項１】
相手側医療用同軸コネクタに接続し、当該相手側医療用同軸コネクタとの間で被検体の検査結果に応じた映像信号を伝送するＢＮＣ型の医療用同軸コネクタであって、
前記相手側医療用同軸コネクタは、
相手側内部導体と、
前記相手側内部導体に対して電気的に絶縁され、当該相手側内部導体を囲む筒状の相手側外部導体とを備え、
当該医療用同軸コネクタは、
当該医療用同軸コネクタが前記相手側医療用同軸コネクタに接続した際に前記相手側内部導体に電気的に接続する内部導体と、
前記内部導体に対して電気的に絶縁されているとともに当該内部導体を囲む筒状に形成され、当該医療用同軸コネクタが前記相手側医療用同軸コネクタに接続した際に前記相手側外部導体に電気的に接続する外部導体と、
前記外部導体の内周側に配置され、前記内部導体を囲む筒状の絶縁体とを備え、
前記絶縁体は、
当該医療用同軸コネクタが前記相手側医療用同軸コネクタに接続した際に前記相手側外部導体の内周側に配置されるとともに、前記相手側医療用同軸コネクタへの接続方向の先端が前記内部導体よりも当該接続方向に突出している
ことを特徴とする医療用同軸コネクタ。
【請求項２】
前記外部導体は、
当該医療用同軸コネクタが前記相手側医療用同軸コネクタに接続した際に、前記相手側外部導体の外周側に配置される
ことを特徴とする請求項１に記載の医療用同軸コネクタ。
【請求項３】
被検体の検査結果に応じた映像信号を伝送する医療用同軸ケーブルであって、
前記映像信号を伝送する同軸ケーブル本体と、
前記同軸ケーブル本体の両端にそれぞれ設けられた請求項１または２に記載の医療用同軸コネクタとを備える
ことを特徴とする医療用同軸ケーブル。
【請求項４】
被検体の検査結果に応じた映像信号を出力する医療用信号処理装置と、前記映像信号に基づく画像を表示する表示装置とを備えた医療用観察システムであって、
前記医療用信号処理装置及び前記表示装置を接続し、前記医療用信号処理装置からの前記映像信号を前記表示装置に伝送する請求項３に記載の医療用同軸ケーブルを備え、
前記医療用信号処理装置及び前記表示装置には、
前記医療用同軸ケーブルの両端に設けられた各前記医療用同軸コネクタにそれぞれ接続する前記相手側医療用同軸コネクタがそれぞれ設けられている
ことを特徴とする医療用観察システム。
【発明の詳細な説明】
【技術分野】
【０００１】
本発明は、相手側医療用同軸コネクタに接続し、当該相手側医療用同軸コネクタとの間で被検体の検査結果に応じた映像信号を伝送するＢＮＣ（Bayonet Neill Concelman）型の医療用同軸コネクタ、当該医療用同軸コネクタを備えた医療用同軸ケーブル、及び当該医療用同軸ケーブルを備えた医療用観察システムに関する。
【背景技術】
【０００２】
従来、医療分野において、人等の被検体内（生体内）の検査結果に応じた映像信号を出力する医療用信号処理装置と、当該映像信号に基づく画像を表示する表示装置とを備え、当該生体内を観察する医療用観察システムが知られている。そして、４Ｋ解像度（以下、４Ｋと記載）等の高精細な映像信号を扱いリアルタイム性が必要な医療用観察システムでは、遅延の少ないＳＤＩ（Serial Digital Interface）規格のＢＮＣ型の医療用同軸コネクタを用いて、医療用信号処理装置及び表示装置間で当該映像信号を伝送している（例えば、特許文献１参照）。
【先行技術文献】
【特許文献】
【０００３】
【特許文献１】特開２０００−３１６７９５号公報
【発明の概要】
【発明が解決しようとする課題】
【０００４】
図１３ないし図１５は、従来の医療用観察システム１００の課題を説明する図である。具体的に、図１３は、医療用信号処理装置９００と、表示装置７００と、医療用信号処理装置９００及び表示装置７００を接続し、医療用信号処理装置９００からの映像信号を表示装置７００に伝送する医療用同軸ケーブル８００を模式的に示している。また、図１３において、符号「１３００」は、医療用同軸ケーブル８００の両端に設けられたＢＮＣ型の医療用同軸コネクタである。さらに、図１３において、符号「１１００」は、医療用信号処理装置９００及び表示装置７００にそれぞれ設けられ、医療用同軸コネクタ１３００に接続する相手側医療用同軸コネクタである。また、図１３において、符号「９０１」は、医療用信号処理装置９００に設けられ、医療用同軸ケーブル８００を介して、映像信号を表示装置７００に送信するトランスミッタである。さらに、図１３において、符号「７０１」は、表示装置７００に設けられ、医療用同軸ケーブル８００を介して、医療用信号処理装置９００からの映像信号を受信するレシーバである。図１４は、相手側医療用同軸コネクタ１１００に対して医療用同軸コネクタ１３００を接続する状態を示す図である。図１５は、図１４を拡大した断面図である。
【０００５】
ところで、医療用同軸コネクタ１３００は、図１４または図１５に示すように、内部導体１３１０と、内部導体１３１０に対して電気的に絶縁され、内部導体１３１０を囲む筒状の外部導体１３５０とを備える。また、相手側医療用同軸コネクタ１１００も同様に、相手側内部導体１１１０（図１５）と、相手側内部導体１１１０に対して電気的に絶縁され、相手側内部導体１１１０を囲む筒状の相手側外部導体１１３０とを備える。
そして、内部導体１３１０の先端は、外部導体１３５０の先端に対して少し奥まった位置に位置する。このため、通常、内部導体１３１０に指等が接触し、当該指等と内部導体１３１０との間に静電気放電が生じることは少ない。しかしながら、図１４または図１５に示すように、相手側医療用同軸コネクタ１１００に対して医療用同軸コネクタ１３００を斜め挿しすると、相手側外部導体１１３０が内部導体１３１０に接触し、相手側外部導体１１３０と内部導体１３１０との間に静電気放電が生じることがある。
【０００６】
ここで、医療用信号処理装置９００（相手側医療用同軸コネクタ１１００）に医療用同軸ケーブル８００（一方の医療用同軸コネクタ１３００）が接続されている状態で、他方の医療用同軸コネクタ１３００を表示装置７００（相手側医療用同軸コネクタ１１００）に対して斜め挿しする場合（図１３）を想定する。
この場合において、他方の医療用同軸コネクタ１３００における医療用信号処理装置９００内の回路（トランスミッタ９０１等）と同電位になっている内部導体１３１０に、表示装置７００側の帯電している相手側外部導体１１３０が接触し、相手側外部導体１１３０と内部導体１３１０との間に静電気放電が生じると、医療用信号処理装置９００内の回路（トランスミッタ９０１等）が破損する虞がある、という問題がある。
当該問題を解消するために、内部導体１３１０から当該回路（トランスミッタ９０１等）に繋がる信号線にダイオードやバリスタ等のＥＳＤ（Electro-Static Discharge）保護素子を設けることが考えられる。しかしながら、当該ＥＳＤ保護素子を設けた場合には、映像信号がなまってしまう。特に、４Ｋ等の高精細な映像信号を扱う場合には、当該ＥＳＤ保護素子を設けることは好ましくない。
そこで、相手側医療用同軸コネクタ１１００に医療用同軸コネクタ１３００を接続する際に相手側外部導体１１３０が内部導体１３１０に接触することを回避することができる技術が要望されている。
【０００７】
本発明は、上記に鑑みてなされたものであって、相手側医療用同軸コネクタに接続する際に相手側外部導体が内部導体に接触することを回避することができる医療用同軸コネクタ、医療用同軸ケーブル、及び医療用観察システムを提供することを目的とする。
【課題を解決するための手段】
【０００８】
上述した課題を解決し、目的を達成するために、本発明に係る医療用同軸コネクタは、相手側医療用同軸コネクタに接続し、当該相手側医療用同軸コネクタとの間で被検体の検査結果に応じた映像信号を伝送するＢＮＣ型の医療用同軸コネクタであって、前記相手側医療用同軸コネクタは、相手側内部導体と、前記相手側内部導体に対して電気的に絶縁され、当該相手側内部導体を囲む筒状の相手側外部導体とを備え、当該医療用同軸コネクタは、当該医療用同軸コネクタが前記相手側医療用同軸コネクタに接続した際に前記相手側内部導体に電気的に接続する内部導体と、前記内部導体に対して電気的に絶縁されているとともに当該内部導体を囲む筒状に形成され、当該医療用同軸コネクタが前記相手側医療用同軸コネクタに接続した際に前記相手側外部導体に電気的に接続する外部導体と、前記外部導体の内周側に配置され、前記内部導体を囲む筒状の絶縁体とを備え、前記絶縁体は、当該医療用同軸コネクタが前記相手側医療用同軸コネクタに接続した際に前記相手側外部導体の内周側に配置されるとともに、前記相手側医療用同軸コネクタへの接続方向の先端が前記内部導体よりも当該接続方向に突出していることを特徴とする。
【０００９】
また、本発明に係る医療用同軸コネクタでは、上記発明において、前記外部導体は、当該医療用同軸コネクタが前記相手側医療用同軸コネクタに接続した際に、前記相手側外部導体の外周側に配置されることを特徴とする。
【００１０】
また、本発明に係る医療用同軸ケーブルは、被検体の検査結果に応じた映像信号を伝送する医療用同軸ケーブルであって、前記映像信号を伝送する同軸ケーブル本体と、前記同軸ケーブル本体の両端にそれぞれ設けられた上述した医療用同軸コネクタとを備えることを特徴とする。
【００１１】
また、本発明に係る医療用観察システムは、被検体の検査結果に応じた映像信号を出力する医療用信号処理装置と、前記映像信号に基づく画像を表示する表示装置とを備えた医療用観察システムであって、前記医療用信号処理装置及び前記表示装置を接続し、前記医療用信号処理装置からの前記映像信号を前記表示装置に伝送する上述した医療用同軸ケーブルを備え、前記医療用信号処理装置及び前記表示装置には、前記医療用同軸ケーブルの両端に設けられた各前記医療用同軸コネクタにそれぞれ接続する前記相手側医療用同軸コネクタがそれぞれ設けられていることを特徴とする。
【発明の効果】
【００１２】
本発明に係る医療用同軸コネクタでは、内部導体と外部導体との間には、内部導体を囲む筒状の絶縁体が設けられている。また、絶縁体は、医療用同軸コネクタが相手側医療用同軸コネクタに接続した際に相手側外部導体の内周側に配置されるとともに、相手側医療用同軸コネクタへの接続方向の先端が内部導体よりも当該接続方向に突出している。
このため、相手側医療用同軸コネクタに対して医療用同軸コネクタを斜め挿しした場合には、相手側外部導体は、内部導体ではなく、絶縁体に接触する。すなわち、絶縁体は、相手側外部導体が内部導体に接触することを妨げる障害物となる。したがって、本発明に係る医療用同軸コネクタによれば、相手側医療用同軸コネクタに接続する際に相手側外部導体が内部導体に接触することを回避することができる、という効果を奏する。
【００１３】
また、本発明に係る医療用同軸ケーブル及び医療用観察システムは、上述した医療用同軸コネクタを備えるため、上述した医療用同軸コネクタと同様の作用及び効果を奏する。
【図面の簡単な説明】
【００１４】
【図１】図１は、本実施の形態１に係る医療用観察システムの概略構成を示す図である。
【図２】図２は、図１に示したジャックコネクタの構成を示す図である。
【図３】図３は、図１に示したジャックコネクタの構成の断面を示す図である。
【図４】図４は、図１に示したプラグコネクタの構成を示す図である。
【図５】図５は、図１に示したプラグコネクタの構成の断面を示す図である。
【図６】図６は、図２ないし図５に示したジャックコネクタ及びプラグコネクタが互いに接続した状態の断面を示す図である。
【図７】図７は、本実施の形態１の効果を説明する図である。
【図８】図８は、本実施の形態１の効果を説明する断面の図である。
【図９】図９は、本実施の形態２に係る医療用観察システムの概略構成を示す図である。
【図１０】図１０は、本実施の形態３に係る医療用観察システムの概略構成を示す図である。
【図１１】図１１は、本実施の形態１〜３の変形例を示す図である。
【図１２】図１２は、本実施の形態１〜３の変形例の断面を示す図である。
【図１３】図１３は、従来の医療用観察システムの課題を説明する図である。
【図１４】図１４は、従来の医療用観察システムの課題を説明する図である。
【図１５】図１５は、従来の医療用観察システムの課題を説明する断面の図である。
【発明を実施するための形態】
【００１５】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１６】
（実施の形態１）
〔医療用観察システムの概略構成〕
図１は、本実施の形態１に係る医療用観察システム１の概略構成を示す図である。
医療用観察システム１は、医療分野において用いられ、生体内等の被検体を観察する装置である。この医療用観察システム１は、図１に示すように、挿入部２と、光源装置３と、ライトガイド４と、カメラヘッド５と、第１伝送ケーブル６と、表示装置７と、第２伝送ケーブル８と、制御装置９と、第３伝送ケーブル１０とを備える。
【００１７】
本実施の形態１では、挿入部２は、硬性内視鏡で構成されている。すなわち、挿入部２は、硬質または少なくとも一部が軟質で細長形状を有し、生体内に挿入される。この挿入部２内には、１または複数のレンズを用いて構成され、被写体像を集光する光学系が設けられている。
光源装置３は、ライトガイド４の一端が接続され、制御装置９による制御の下、当該ライトガイド４の一端に生体内を照明するための光を供給する。
ライトガイド４は、一端が光源装置３に着脱自在に接続されるとともに、他端が挿入部２に着脱自在に接続される。そして、ライトガイド４は、光源装置３から供給された光を一端から他端に伝達し、挿入部２に供給する。挿入部２に供給された光は、当該挿入部２の先端から出射され、生体内に照射される。生体内に照射された光（被写体像）は、挿入部２内の光学系により集光される。
【００１８】
カメラヘッド５は、挿入部２の基端（接眼部２１（図１））に着脱自在に接続される。そして、カメラヘッド５は、制御装置９による制御の下、挿入部２にて集光された被写体像を撮像し、当該撮像による画像信号（ＲＡＷ信号）を出力する。本実施の形態１では、当該画像信号は、４Ｋ以上の画像信号である。
第１伝送ケーブル６は、一端がコネクタＣＮ１（図１）を介して制御装置９に着脱自在に接続され、他端がコネクタＣＮ２（図１）を介してカメラヘッド５に着脱自在に接続される。そして、第１伝送ケーブル６は、カメラヘッド５から出力される画像信号を制御装置９に伝送するとともに、制御装置９から出力される制御信号、同期信号、クロック、及び電力等をカメラヘッド５にそれぞれ伝送する。
なお、第１伝送ケーブル６を介したカメラヘッド５から制御装置９への画像信号の伝送は、当該画像信号を光信号で伝送してもよく、あるいは、電気信号で伝送しても構わない。第１伝送ケーブル６を介した制御装置９からカメラヘッド５への制御信号、同期信号、クロックの伝送も同様である。
【００１９】
表示装置７は、液晶または有機ＥＬ（Electro Luminescence）等を用いた表示ディスプレイを用いて構成され、制御装置９にて処理された映像信号に基づく画像を表示する。
この表示装置７には、外装筐体７０（図２参照）の外面から露出するように、ジャックコネクタ１１が設けられている（図１）。このジャックコネクタ１１は、ＢＮＣ型の同軸コネクタであり、本発明に係る相手側医療用同軸コネクタとしての機能を有する。
なお、ジャックコネクタ１１の詳細な構成については後述する。
第２伝送ケーブル８は、ＢＮＣ型の同軸ケーブルであり、本発明に係る医療用同軸ケーブルとしての機能を有する。この第２伝送ケーブル８は、図１に示すように、同軸ケーブル本体１２と、当該同軸ケーブル本体１２の両端にそれぞれ設けられたプラグコネクタ１３とを備える。
ここで、プラグコネクタ１３は、ＢＮＣ型の同軸コネクタであり、本発明に係る医療用同軸コネクタとしての機能を有する。
なお、プラグコネクタ１３の詳細な構成については後述する。
【００２０】
制御装置９は、本発明に係る医療用信号処理装置としての機能を有する。
この制御装置９には、表示装置７と同様に、外装筐体９０（図２参照）の外面から露出するように、ジャックコネクタ１１が設けられている（図１）。そして、第２伝送ケーブル８は、各プラグコネクタ１３が各ジャックコネクタ１１にそれぞれ接続することで、表示装置７及び制御装置９を接続し、制御装置９からの映像信号を表示装置７に伝送する。
また、制御装置９は、ＣＰＵ（Central Processing Unit）等を含んで構成され、光源装置３、カメラヘッド５、及び表示装置７の動作を統括的に制御する。
具体的に、制御装置９は、第１伝送ケーブル６を介してカメラヘッド５から取得した画像信号に対して所定の処理を施すことで映像信号を生成し、第２伝送ケーブル８を介して当該映像信号を表示装置７に出力する。そして、表示装置７は、当該映像信号に基づく画像を表示する。また、制御装置９は、第１，第３伝送ケーブル６，１０を介して、カメラヘッド５や光源装置３に対して制御信号等を出力する。
第３伝送ケーブル１０は、一端が光源装置３に着脱自在に接続され、他端が制御装置９に着脱自在に接続される。そして、第３伝送ケーブル１０は、制御装置９からの制御信号を光源装置３に伝送する。
【００２１】
〔ジャックコネクタの構成〕
次に、ジャックコネクタ１１の構成について説明する。
図２及び図３は、ジャックコネクタ１１の構成を示す図である。具体的に、図２は、表示装置７や制御装置９の外装筐体７０，９０に取り付けられた状態のジャックコネクタ１１を先端側から見た斜視図である。図３は、ジャック側外部コンタクト１１３の中心軸Ａｘ１を含む切断面にて当該ジャックコネクタ１１を切断した断面図である。
ジャックコネクタ１１は、図２または図３に示すように、ジャック側中心コンタクト１１１と、ジャック側絶縁基体１１２と、ジャック側外部コンタクト１１３とを備える。
【００２２】
ジャック側中心コンタクト１１１は、導電性材料で構成され、本発明に係る相手側内部導体としての機能を有する。このジャック側中心コンタクト１１１は、図２または図３に示すように、円筒形状を有し、中心軸Ａｘ１と同軸となる姿勢で配置される。そして、ジャック側中心コンタクト１１１は、表示装置７内または制御装置９内の回路に電気的に接続される。
このジャック側中心コンタクト１１１には、図２に示すように、プラグコネクタ１３への接続方向Ｄｉ１の先端から基端に向けて延びるスリット１１１１が周方向に複数設けられている。そして、当該スリット１１１１により、ジャック側中心コンタクト１１１の先端側は、基端側を支点として中心軸Ａｘ１に対して近接隔離する方向に弾性変形可能とする。
【００２３】
ジャック側絶縁基体１１２は、絶縁性材料で構成され、図３に示すように、ジャック側中心コンタクト１１１の外径寸法と略同一の内径寸法を有する円筒状に形成されている。そして、ジャック側絶縁基体１１２には、ジャック側中心コンタクト１１１が嵌合される。この状態では、ジャック側中心コンタクト１１１における接続方向Ｄｉ１の先端は、ジャック側絶縁基体１１２よりも接続方向Ｄｉ１に突出している。
【００２４】
ジャック側外部コンタクト１１３は、導電性材料で構成され、本発明に係る相手側外部導体としての機能を有する。このジャック側外部コンタクト１１３は、図２または図３に示すように、円筒形状を有し、ジャック側中心コンタクト１１１が中心軸Ａｘ１と同軸となるように、基端側の内周面にてジャック側絶縁基体１１２を介して当該ジャック側中心コンタクト１１１を支持する。すなわち、ジャック側外部コンタクト１１３は、ジャック側絶縁基体１１２により、ジャック側中心コンタクト１１１と電気的に絶縁されている。この状態では、ジャック側外部コンタクト１１３における接続方向Ｄｉ１の先端は、ジャック側中心コンタクト１１１よりも接続方向Ｄｉ１に突出している。
【００２５】
このジャック側外部コンタクト１１３の内周面は、基端側よりも先端側の径寸法が大きくなるように形成されている。すなわち、ジャック側外部コンタクト１１３の内周面には、図３に示すように、中心軸Ａｘ１に直交する平坦状の段差部１１３１が形成されている。以下、段差部１１３１よりも基端側の内周面を内周面１１３２（図３）と記載し、先端側の内周面を内周面１１３３（図３）と記載する。
また、ジャック側外部コンタクト１１３の外周面において、互いに対向する位置には、図２に示すように、外部に向けてそれぞれ突出する２つの突出部１１３４がそれぞれ形成されている。なお、図２では、２つの突出部１１３４のうち、１つのみが見えている。
さらに、ジャック側外部コンタクト１１３の外周面には、外部に向けて張り出し、ネジＳｃ（図２）により、外装筐体７０，９０に対して固定するためのフランジ（図示略）が形成されている。
【００２６】
〔プラグコネクタの構成〕
次に、プラグコネクタ１３の構成について説明する。
図４及び図５は、プラグコネクタ１３の構成を示す図である。具体的に、図４は、第２伝送ケーブル８の一端に設けられたプラグコネクタ１３を示す斜視図である。図５は、プラグコネクタ１３を第２伝送ケーブル８の中心軸Ａｘ２を含む切断面にて切断した断面図である。
プラグコネクタ１３は、図４または図５に示すように、プラグ側中心コンタクト１３１と、プラグ側絶縁基体１３２（図５）と、絶縁壁１３３と、円筒部１３４と、プラグ側外部コンタクト１３５とを備える。
【００２７】
プラグ側中心コンタクト１３１は、導電性材料で構成され、本発明に係る内部導体としての機能を有する。このプラグ側中心コンタクト１３１は、ジャックコネクタ１１への接続方向Ｄｉ２の先端が先細りとなり、ジャック側中心コンタクト１１１の内径寸法よりも若干大きい外径寸法を有する略円柱状のピンで構成されている。そして、プラグ側中心コンタクト１３１は、第２伝送ケーブル８に対して中心軸Ａｘ２と同軸となる姿勢で固定されるとともに、第２伝送ケーブル８における信号線に電気的に接続する。
【００２８】
プラグ側絶縁基体１３２は、絶縁性材料で構成され、プラグ側中心コンタクト１３１の外径寸法と略同一の内径寸法を有するとともに、ジャック側外部コンタクト１１３における内周面１１３３の内径寸法よりも小さい外径寸法を有する円筒状に形成されている。そして、プラグ側絶縁基体１３２は、プラグ側中心コンタクト１３１が挿通（嵌合）された状態で、第２伝送ケーブル８に対して固定される。この状態では、プラグ側中心コンタクト１３１における接続方向Ｄｉ２の先端は、プラグ側絶縁基体１３２よりも接続方向Ｄｉ２に突出している。
【００２９】
絶縁壁１３３は、絶縁性材料で構成され、本発明に係る絶縁体としての機能を有する。この絶縁壁１３３は、ジャック側中心コンタクト１１１の外径寸法よりも大きい内径寸法を有するとともに、プラグ側絶縁基体１３２の外径寸法よりも小さい外径寸法を有する円筒状に形成されている。そして、絶縁壁１３３は、プラグ側中心コンタクト１３１が挿通され（プラグ側信号コンタクト１３１を囲み）、当該プラグ側中心コンタクト１３１と同軸となる姿勢で、プラグ側絶縁基体１３２における接続方向Ｄｉ２の先端に固定される。この状態では、絶縁壁１３３における接続方向Ｄｉ２の先端は、プラグ側中心コンタクト１３１よりも接続方向Ｄｉ２に突出している。
【００３０】
円筒部１３４は、導電性材料で構成され、プラグ側絶縁基体１３２の外径寸法と略同一の内径寸法を有するとともに、ジャック側外部コンタクト１１３における内周面１１３３の内径寸法と略同一の外径寸法を有する円筒状に形成されている。また、円筒部１３４は、プラグ側絶縁基体１３２が挿通（嵌合）され、内周側にプラグ側中心コンタクト１３１、プラグ側絶縁基体１３２、及び絶縁壁１３３が配置された状態で、第２伝送ケーブル８に対して固定される。この状態では、円筒部１３４における接続方向Ｄｉ２の先端は、絶縁壁１３３における接続方向Ｄｉ２の先端と略同一の突出位置となる。そして、円筒部１３４は、プラグ側絶縁基体１３２及び絶縁壁１３３によりプラグ側中心コンタクト１３１と電気的に絶縁された状態で、第２伝送ケーブル８におけるシールド外皮（グランド線）に電気的に接続する。
【００３１】
この円筒部１３４には、図４に示すように、接続方向Ｄｉ２の先端から基端に向けてプラグ側絶縁基体１３２の先端と略同一の位置まで延びるスリット１３４１が周方向に複数（本実施の形態１では６つ）設けられている。そして、当該スリット１３４１により、円筒部１３４における接続方向Ｄｉ２の先端側は、基端側を支点として中心軸Ａｘ２に近接隔離する方向に弾性変形可能とする６つの板バネ部１３４２として機能する。
これら６つの板バネ部１３４２で構成される円筒状の内径寸法は、接続方向Ｄｉ２の先端側に向かうにしたがって、ジャック側外部コンタクト１１３における内周面１１３３の内径寸法よりも若干大きくなり、さらに、屈曲して当該内径寸法よりも若干小さくなるように形成されている。
【００３２】
プラグ側外部コンタクト１３５は、導電性材料で構成され、本発明に係る外部導体としての機能を有する。このプラグ側外部コンタクト１３５は、ジャック側外部コンタクト１１３の外径寸法よりも大きい内径寸法を有する円筒状に形成されている。また、プラグ側外部コンタクト１３５は、内周側にプラグ側中心コンタクト１３１、プラグ側絶縁基体１３２、絶縁壁１３３、及び円筒部１３４が配置され（プラグ側中心コンタクト１３１を囲み）、中心軸Ａｘ２と同軸となる姿勢で、第２伝送ケーブル８に対して当該中心軸Ａｘ２を中心として回動可能に取り付けられる。この状態では、プラグ側外部コンタクト１３５における接続方向Ｄｉ２の先端は、円筒部１３４よりも接続方向Ｄｉ２に突出している。そして、プラグ側外部コンタクト１３５は、円筒部１３４と同様に、プラグ側絶縁基体１３２及び絶縁壁１３３によりプラグ側中心コンタクト１３１と電気的に絶縁された状態で、第２伝送ケーブル８におけるシールド外皮（グランド線）に電気的に接続する。
このプラグ側外部コンタクト１３５の側面において、互いに対向する位置には、図４または図５に示すように、中心軸Ａｘ２を中心として螺旋状に延びる２つの切り溝１３５１がそれぞれ形成されている。なお、図２では、２つの切り溝１３５１のうち、１つのみが見えている。
また、プラグ側外部コンタクト１３５の内周面において、互いに対向する位置には、図４または図５に示すように、接続方向Ｄｉ２の先端から基端に向けて延び、２つの切り溝１３５１にそれぞれ連通する２つの凹条溝１３５２がそれぞれ形成されている。
【００３３】
〔ジャックコネクタに対するプラグコネクタの接続操作〕
図６は、ジャックコネクタ１１及びプラグコネクタ１３が互いに接続した状態の断面を示す図である。具体的に、図６は、図３及び図５にそれぞれ対応した断面図である。
以上説明したジャックコネクタ１１に対するプラグコネクタ１３の接続操作は、以下のようにして行われる。
先ず、作業者は、２つの突出部１１３４に２つの凹条溝１３５２を合わせて、プラグコネクタ１３を接続方向Ｄｉ２に挿し込む。
これにより、プラグ側中心コンタクト１３１は、ジャック側中心コンタクト１１１を外周側に弾性変形させながら、当該ジャック側中心コンタクト１１１内に挿し込まれる。また、６つの板バネ部１３４２は、ジャック側外部コンタクト１１３により内周側に弾性変形しながら、接続方向Ｄｉ２の先端が段差部１１３１に当接するまで、ジャック側外部コンタクト１１３内に挿し込まれる。
一方、２つの突出部１１３４は、２つの凹条溝１３５２に沿って挿し込まれ、２つの切り溝１３５１内に進入する。また、ジャック側外部コンタクト１１３は、プラグ側外部コンタクト１３５と円筒部１３４との隙間に挿し込まれる。
【００３４】
次に、作業者は、２つの突出部１１３４が２つの切り溝１３５１の側壁に当接してプラグコネクタ１３の接続方向Ｄｉ２への挿し込みが係止されたら、プラグ側外部コンタクト１３５を回転操作する。
これにより、２つの突出部２２３４が２つの切り溝１３５１に沿って移動し、プラグコネクタ１３は、ジャックコネクタ１１に接続される。
以上のようにプラグコネクタ１３及びジャックコネクタ１１が互いに接続されると、図６に示すように、プラグ側中心コンタクト１３１は、ジャック側中心コンタクト１１１に電気的に接続する。また、プラグ側外部コンタクト１３５及び円筒部１３４は、ジャック側外部コンタクト１１３に電気的に接続する。
【００３５】
以上説明した本実施の形態１によれば、以下の効果を奏する。
図７及び図８は、本実施の形態１の効果を説明する図である。図７は、図１４に対応した図であって、ジャックコネクタ１１に対してプラグコネクタ１３を接続する状態を示す図である。図８は、図１５に対応した図であって、図７を拡大した断面図である。
本実施の形態１に係るプラグコネクタ１３では、プラグ側中心コンタクト１３１とプラグ側外部コンタクト１３５との間には、プラグ側中心コンタクト１３１を囲む筒状の絶縁壁１３３が設けられている。また、絶縁壁１３３は、プラグコネクタ１３がジャックコネクタ１１に接続した際にジャック側外部コンタクト１１３の内周側に配置されるとともに、接続方向Ｄｉ２の先端がプラグ側中心コンタクト１３１よりも接続方向Ｄｉ２に突出している。
このため、図７または図８に示すように、プラグコネクタ１３を接続方向Ｄｉ１，Ｄｉ２が互いに交差した状態でジャックコネクタ１１に対して挿し込んだ場合（斜め挿しした場合）には、ジャック側外部コンタクト１１３は、プラグ側中心コンタクト１３１ではなく、絶縁壁１３３に接触する。すなわち、絶縁壁１３３は、ジャック側外部コンタクト１１３がプラグ側中心コンタクト１３１に接触することを妨げる障害物となる。したがって、本実施に係るプラグコネクタ１３によれば、ジャックコネクタ１１に接続する際にジャック側外部コンタクト１１３がプラグ側中心コンタクト１３１に接触することを回避することができる、という効果を奏する。すなわち、制御装置９（ジャックコネクタ１１）に第２伝送ケーブル８（一方のプラグコネクタ１３）が接続されている状態で、他方のプラグコネクタ１３を表示装置７（ジャックコネクタ１１）に対して斜め挿しした場合であっても、ジャック側外部コンタクト１１３とプラグ側中心コンタクト１３１との接触を回避することができるため、静電気放電による制御装置９内の回路が破損する虞がない。
【００３６】
ところで、プラグ側外部コンタクト１３５は、ジャック側外部コンタクト１１３よりも径寸法が大きい。このため、ジャックコネクタ１１にプラグコネクタ１３を接続する際に、プラグ側外部コンタクト１３５は、ジャック側中心コンタクト１１１に接触し難いものとなる。一方で、ジャック側外部コンタクト１１３は、プラグ側中心コンタクト１３１に接触し易いものとなる。
本実施の形態１では、プラグコネクタ１３に絶縁壁１３３を設けている。このため、プラグ側外部コンタクト１３５及びジャック側中心コンタクト１１１と、ジャック側外部コンタクト１１３及びプラグ側中心コンタクト１３１とのうち、接触し易いジャック側外部コンタクト１１３及びプラグ側中心コンタクト１３１の当該接触を絶縁壁１３３にて効果的に回避することができる。
【００３７】
ところで、第２伝送ケーブル８において、同軸ケーブル本体１２の両端にそれぞれ設けられたプラグコネクタ１３のうち、一方にのみ絶縁壁１３３を設けた場合を想定する。この場合には、例えば、作業者が誤って、絶縁壁１３３が設けられたプラグコネクタ１３を制御装置９（ジャックコネクタ１１）に接続し、この状態で、絶縁壁１３３が設けられていないプラグコネクタ１３を表示装置７（ジャックコネクタ１１）に接続すると、ジャック側外部コンタクト１１３がプラグ側中心コンタクト１３１に接触してしまう虞がある、という問題がある。
これに対して、本実施の形態１に係る第２伝送ケーブル８では、同軸ケーブル本体１２の両端にそれぞれ設けられたプラグコネクタ１３には、絶縁壁１３３がそれぞれ設けられている。このため、上述した問題が生じることがない。
【００３８】
（実施の形態２）
次に、本発明の実施の形態２について説明する。
以下の説明では、上述した実施の形態１と同様の構成には同一符号を付し、その詳細な説明は省略または簡略化する。
上述した実施の形態１では、硬性内視鏡（挿入部２）を用いた医療用観察システム１に本発明を適用していた。
これに対して、本実施の形態２では、挿入部の先端側に撮像部を有する所謂ビデオスコープを用いた医療用観察システムに本発明を適用している。
【００３９】
図９は、本実施の形態２に係る医療用観察システム１Ａの概略構成を示す図である。
本実施の形態２に係る医療用観察システム１Ａは、図９に示すように、生体内に挿入部２Ａを挿入することによって観察部位の体内画像を撮像して画像信号を出力する内視鏡１４と、内視鏡１４の先端から出射する照明光を発生する光源装置３と、内視鏡１４から出力された画像信号を処理して映像信号を生成及び出力する制御装置９と、当該映像信号に基づく画像を表示する表示装置７と、各ジャックコネクタ１１及び各プラグコネクタ１３にて制御装置９及び表示装置７を接続し、制御装置９からの映像信号を表示装置７に伝送する第２伝送ケーブル８とを備える。
【００４０】
内視鏡１４は、図９に示すように、可撓性を有する細長形状をなす挿入部２Ａと、挿入部２Ａの基端側に接続され、各種の操作信号の入力を受け付ける操作部１４１と、操作部１４１から挿入部２Ａが延びる方向と異なる方向に延び、光源装置３及び制御装置９に接続する各種ケーブルを内蔵するユニバーサルコード１４２とを備える。
挿入部２Ａは、図９に示すように、生体内を撮像して画像信号を生成する撮像部（図示略）を内蔵した先端部２２と、先端部２２の基端側に接続され、複数の湾曲駒によって構成された湾曲自在な湾曲部２３と、湾曲部２３の基端側に接続され、可撓性を有する長尺状の可撓管部２４とを備える。そして、先端部２２（撮像部）にて撮像された画像信号は、操作部１４１及びユニバーサルコード１４２を介して、制御装置９に出力される。
【００４１】
以上説明した本実施の形態２のように軟性内視鏡（内視鏡１４）を用いた場合であっても、上述した実施の形態１と同様の効果を奏する。
【００４２】
（実施の形態３）
次に、本発明の実施の形態３について説明する。
以下の説明では、上述した実施の形態１と同様の構成には同一符号を付し、その詳細な説明は省略または簡略化する。
上述した実施の形態１では、硬性内視鏡（挿入部２）を用いた医療用観察システム１に本発明を適用していた。
これに対して、本実施の形態３では、被検体内部（生体内）や被検体表面（生体表面）の所定の視野領域を拡大して撮像する手術用顕微鏡を用いた医療用観察システムに本発明を適用している。
【００４３】
図１０は、本実施の形態３に係る医療用観察システム１Ｂの概略構成を示す図である。
本実施の形態３に係る医療用観察システム１Ｂは、図１０に示すように、被写体を観察するための画像を撮像して画像信号を出力する手術用顕微鏡１５と、手術用顕微鏡１５から出力された画像信号を処理して映像信号を生成及び出力する制御装置９と、当該映像信号に基づく画像を表示する表示装置７と、各ジャックコネクタ１１及び各プラグコネクタ１３にて制御装置９及び表示装置７を接続し、制御装置９からの映像信号を表示装置７に伝送する第２伝送ケーブル８とを備える。
【００４４】
手術用顕微鏡１５は、図１０に示すように、被写体の微小部位を拡大して撮像し、画像信号を出力する顕微鏡部１５１と、顕微鏡部１５１の基端部に接続し、顕微鏡部１５１を回動可能に支持するアームを含む支持部１５２と、支持部１５２の基端部を回動可能に保持し、床面上を移動可能なベース部１５３とを備える。
そして、制御装置９は、図１０に示すように、ベース部１５３に設置されている。また、支持部１５２には、当該支持部１５２に沿って第１伝送ケーブル６が配線されている。すなわち、顕微鏡部１５１にて撮像された画像信号は、当該第１伝送ケーブル６を介して、制御装置９に出力される。
なお、ベース部１５３は、床面上に移動可能に設けるのではなく、天井や壁面等に固定して支持部１５２を支持する構成としてもよい。また、ベース部１５３は、手術用顕微鏡１５から被写体に照射する照明光を生成する光源部を備えていてもよい。
【００４５】
以上説明した本実施の形態３のように手術用顕微鏡１５を用いた場合であっても、上述した実施の形態１と同様の効果を奏する。
【００４６】
（その他の実施の形態）
ここまで、本発明を実施するための形態を説明してきたが、本発明は上述した実施の形態１〜３によってのみ限定されるべきものではない。
図１１及び図１２は、本実施の形態１〜３の変形例を示す図である。具体的に、図１１は、図２に対応した図である。図１２は、図６に対応した断面図である。
上述した実施の形態１〜３において、図１１ないし図１３に示すように、ジャックコネクタ１１に絶縁スリーブ１１４を設けても構わない。
絶縁スリーブ１１４は、絶縁性材料で構成され、図１１または図１２に示すように、ジャック側中心コンタクト１１１の外径寸法よりも若干大きい内径寸法を有するとともに、絶縁壁１３３の内径寸法よりも小さい外径寸法を有する円筒状に形成されている。そして、絶縁スリーブ１１４は、ジャック側中心コンタクト１１１が挿通（嵌合）された状態で、ジャック側絶縁基体１１２における接続方向Ｄｉ１の先端に固定される。この状態では、絶縁スリーブ１１４における接続方向Ｄｉ１の先端は、ジャック側中心コンタクト１１１における接続方向Ｄｉ１の先端と略同一の突出位置となる。そして、絶縁スリーブ１１４は、ジャックコネクタ１１に対してプラグコネクタ１３が挿し込まれた際に、絶縁壁１３３内に挿し込まれる。
以上説明した本変形例によれば、上述した実施の形態１〜３と同様の効果を奏する他、絶縁スリーブ１１４により、ジャック側中心コンタクト１１１の折れ及び曲がりを防止することができる。
【００４７】
上述した実施の形態１〜３において、プラグコネクタ１３におけるプラグ側中心コンタクト１３１をジャック側中心コンタクト１１１と同様の形状とし、ジャックコネクタ１１におけるジャック側中心コンタクト１１１をプラグ側中心コンタクト１３１と同様の形状としても構わない。
上述した実施の形態１〜３において、絶縁壁１３３をジャックコネクタ１１に設けても構わない。この際でも、当該絶縁壁１３３における接続方向Ｄｉ１の先端は、ジャック側中心コンタクト１１１よりも接続方向Ｄｉ１に突出することが好ましい。
【００４８】
上述した実施の形態１〜３において、ジャックコネクタ１１やプラグコネクタ１３として、当該コネクタ内にケーブルドライバやイコライザ等を内蔵した所謂、アクティブＢＮＣを採用しても構わない。
【符号の説明】
【００４９】
１，１Ａ，１Ｂ  医療用観察システム
２，２Ａ  挿入部
３  光源装置
４  ライトガイド
５  カメラヘッド
６  第１伝送ケーブル
７  表示装置
８  第２伝送ケーブル
９  制御装置
１０  第３伝送ケーブル
１１  ジャックコネクタ
１２  同軸ケーブル本体
１３  プラグコネクタ
１４  内視鏡
１５  手術用顕微鏡
２１  接眼部
２２  先端部
２３  湾曲部
２４  可撓管部
７０，９０  外装筐体
１００  医療用観察システム
１１１  ジャック側中心コンタクト
１１２  ジャック側絶縁基体
１１３  ジャック側外部コンタクト
１１４  絶縁スリーブ
１３１  プラグ側中心コンタクト
１３２  プラグ側絶縁基体
１３３  絶縁壁
１３４  円筒部
１３５  プラグ側外部コンタクト
１４１  操作部
１４２  ユニバーサルコード
１５１  顕微鏡部
１５２  支持部
１５３  ベース部
７００  表示装置
７０１  レシーバ
８００  医療用同軸ケーブル
９００  医療用信号処理装置
９０１  トランスミッタ
１１１１  スリット
１１３１  段差部
１１３２，１１３３  内周面
１１３４  突出部
１３００  医療用同軸コネクタ
１３４１  スリット
１３４２  板バネ部
１３５１  切り溝
１３５２  凹条溝
Ａｘ１，Ａｘ２  中心軸
ＣＮ１，ＣＮ２  コネクタ
Ｄｉ１，Ｄｉ２  接続方向
Ｓｃ  ネジ
【図１】
2018092844.tif 000003
【図２】
2018092844.tif 000004
【図３】
2018092844.tif 000005
【図４】
2018092844.tif 000006
【図５】
2018092844.tif 000007
【図６】
2018092844.tif 000008
【図７】
2018092844.tif 000009
【図８】
2018092844.tif 000010
【図９】
2018092844.tif 000011
【図１０】
2018092844.tif 000012
【図１１】
2018092844.tif 000013
【図１２】
2018092844.tif 000014
【図１３】
2018092844.tif 000015
【図１４】
2018092844.tif 000016
【図１５】
2018092844.tif 000017